(57)【要約】      （修正有）【課題】精度の高いオカリナを作ることを可能とする。【解決手段】内部が空洞の共鳴胴部と、その共鳴胴部から突起し先端を吹き口とする笛口部が一体となったオカリナにおいて、オカリナ上半体と下半体により共鳴胴部及び笛口部を形成するが、あらかじめ下半体の笛口部外側には該笛口部先端から歌口に至る気道溝を設けておき、最後に該気道溝の上面を蓋して貫通孔状の気道を作ると同時に笛口部と一体化する外蓋部材を貼り合せたことを特徴とするオカリナである。【選択図】図３
2010117453.tif 000002
【特許請求の範囲】
【請求項１】
内部が空洞の共鳴胴部と、その共鳴胴部から突起し先端を吹き口とする笛口部が一体となったオカリナにおいて、オカリナ上半体と下半体により共鳴胴部及び笛口部を形成するが、あらかじめ下半体の笛口部外側には該笛口部先端から歌口に至る気道溝を設けておき、最後に該気道溝の上面を蓋して貫通孔状の気道を作ると同時に笛口部と一体化する外蓋部材を貼り合せたことを特徴とするオカリナ。
【請求項２】
前記オカリナ上半体と下半体を石膏等の型で制作した請求項１のオカリナ。  
【発明の詳細な説明】
【技術分野】
【０００１】
本発明は気鳴楽器の一種であるオカリナと、それを作る為の型に関する。          
【背景技術】
【０００２】
オカリナは、内部が空洞になった共鳴胴部とそこから突起する笛口部で形成されており、笛口部先端の吹き口から共鳴胴部の歌口まで呼気を導く気道が設けられている。また、共鳴胴部には複数の音階指穴が設けられている。
【０００３】
従来、楽器としての陶磁製オカリナは石膏製の押型や鋳込み型に板状の粘土を押し付けたり、粘土や磁器材の泥漿を流し込み、共鳴胴部及び笛口部を一体として成形、笛口部にヘラ等で気道を確保した下半体と上半体を別々に作り生乾きの状態で上下接合し、ヘラを抜いて気道とし音階穴を開け乾燥させて焼成するという製法が主流であった。一方、圧力鋳込みという陶磁器製法技術を応用した量産オカリナも多種存在してはいるが、製造過程において気道や歌口の精密加工ができないために、音域を稼ぐことが難しく楽器として使用するには適さないのが現状である。
【発明の開示】
【発明が解決しようとする課題】
【０００４】
オカリナを低価格で大量に供給するためには、陶磁器の分野で従来より広く使われている圧力鋳込みが有力な技法ではあるが、圧力鋳込みは図５に示すように、石膏製の雄型Ｇと雌型Ｈの間の隙間Ｓにコンプレッサーで圧力をかけた泥漿を流し込み、雄型Ｇと雌型Ｈの石膏に泥漿の水分を適度に吸収させて固め陶磁器製品を作る方法で、この圧力鋳込みの技法を使って生産するオカリナの中で特許登録しているものとしては、特許文献１や特許文献２がある。しかしながら、従来の圧力鋳込みで作るオカリナは、いずれも製造過程で気道を確保するものであった為、後で気道や歌口を精密に加工することができないという欠点があり、音域が狭く、そのため楽器として使用するには無理があり、所詮は教材や玩具レベルでしかなかった。
これに対し本発明は、今回新開発した石膏型を使うことにより前記問題点を解決し、本格的楽器としての高性能オカリナを圧力鋳込みの技法を使って効率よく生産し、低価格で供給しようというものである。
【特許文献１】特許第３０１８７５６号（特願平４−１９３３１２号）
【特許文献２】特許第３２５３６０６号（特願２０００−２２２７２）
【課題を解決するための手段】
【０００５】
前記の目的を達成するための手段として、本発明は、先に上半体と下半体を接合し共鳴胴部と笛口部から構成される本体を完成し、その後に笛口部外部にある気道溝にヘラ等の特殊工具を使いながら外蓋部材を貼り付けて精度の高い貫通孔状の気道や歌口を完成させるという従来には全く無かった逆転の方式を採用した。
【０００６】
本発明は低価格で且つ高性能なオカリナを効率よく安定的に市場に供給しようというものである。
【発明の効果】
【０００７】
先に上半体と下半体を接合し共鳴胴部と笛口部から構成される本体を完成させから笛口部外部にある気道溝にヘラをあてがいながら外蓋部材を接合し、精度の高い貫通孔状の気道や歌口を完成させるという従来とは全く逆の外溝構造にしたことにより、圧力鋳込み製法でも高品質な楽器としてのオカリナを低価格で供給できる。又、使用する材質として陶磁器は言うまでもなく、合成樹脂その他の材質を使用した場合でも高い精度を保つことができるようになり、様々な材質で精度の高いオカリナを作ることを可能にした。
【発明を実施するための最良の形態】
【０００８】
以下に本発明の実施の形態を図面を参照しつつ説明する。先ず、図１は内側から見たオカリナの分解図、図２は外側から見たオカリナの分解図、図３は下半体笛口部に外蓋部材を接合する前の状態の図と外蓋部材を接合後のオカリナの斜視図（下半体側と上半体側から、それぞれ斜視した状態）、図４はオカリナの共鳴胴部から笛口部（外蓋部材を含む）にかけた断面図、図５は圧力鋳込みの雄型と雌型を示す断面図である。
【０００９】
図１で示したとおりオカリナＲは上半体Ａと下半体Ｂ、Ｃ及び外蓋部材Ｄの３部材で構成される。上半体Ａは共鳴胴部のみ、下半体Ｂ、Ｃは共鳴胴部Ｂと笛口部Ｃが一体となっており、音を出すための歌口Ｆと気道溝Ｅを有する。１〜１２までの穴は指穴と言って音階を操作するためのものである。
【００１０】
圧力鋳込みの製法には製品の肉厚をできるだけ均等にしなければならないという制約がある。そこで、上半体Ａには笛口部を設けず下半体Ｂ、Ｃ側にだけ笛口部Ｃを設けたことにより製品の肉厚をほぼ均等にした。
【００１１】
オカリナは構造上、１オクターブより下の音と上の音を出すことが非常に難しく、気道と歌口の精度をミクロン単位で仕上げる必要があるが、従来の圧力鋳込みの製法では製造過程でヘラなどの工具を使うことができないため必要な精度が確保できなかった。
本発明では、上半体Ａと下半体Ｂ、Ｃを接合した後で、ヘラなどの工具を使いながら手作業により外蓋部材Ｄを接合することにより、高精度な仕上げを可能にした。
本発明の上記手法は、圧力鋳込み型のみならず、押し型、鋳込み型などにも適用できる。
【産業上の利用可能性】
【００１２】
前記のとおり、本発明では上半体Ａと下半体Ｂ、Ｃを接合し本体部分を完成させてから気道を加工設置できるため、材質としては陶磁器はもちろん、合成樹脂など他の材質を使用した場合にも品質の良い製品を作ることができる。これにより、低価格で良質の楽器としてのオカリナをコンスタントに供給することが可能となる。
【図面の簡単な説明】
【００１３】
【図１】オカリナの分解図（ａ）上半体内部側  （ｂ）下半体内部側。
【図２】オカリナの分解図（ａ）上半体外部側  （ｂ）下半体外部側。
【図３】オカリナの外蓋部材装着前と装着後（完成品の裏表）の斜視図。
【図４】共鳴胴部から笛口部及び外蓋部材に至る縦断面図。
【図５】圧力鋳込みの雄型と雌型を示す断面図。
【符号の説明】
【００１４】
Ｒ    オカリナ
Ａ    上半体（共鳴胴部）
Ｂ    下半体（共鳴胴部）
Ｃ    下半体（笛口部）
Ｄ    外蓋部材
ｃ２    笛口部接合面
ｄ２    外蓋部材接合面
Ｅ    気道溝
Ｆ    歌口
Ｇ    石膏型雄型
Ｈ    石膏型雌型
Ｓ    オカリナとなる泥漿を鋳込む隙間
１〜１２    音階指穴（トーンホール）
【図１】
2010117453.tif 000003
【図２】
2010117453.tif 000004
【図３】
2010117453.tif 000005
【図４】
2010117453.tif 000006
【図５】
2010117453.tif 000007
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
共鳴胴部の上半を形成するオカリナ上半体と、共鳴胴部の下半及び笛口部を形成し、笛口部の外側に笛口部先端から歌口に至る気道溝が設けられたオカリナ下半体と、オカリナ下半体の笛口部の外側に貼り合せ、気道溝の上面を蓋して貫通孔状の気道を作る外蓋部材とからなることを特徴とするオカリナ。
【請求項２】
前記オカリナ上半体と下半体を石膏の型で制作した請求項１のオカリナ。